(57)【特許請求の範囲】
【請求項１】
平面視正六角形の床タイルを施工場所の床面に敷設する床タイルの施工方法であって、
前記施工場所の床面に、基準となる１枚目の床タイルを敷設する初期位置決め工程と、
前記１枚目の床タイルの端辺に２枚目の床タイルの端辺を突き合わせて２枚目の床タイルを敷設し、同様にして３枚目以降の床タイルを施工場所の壁面側に向かって順次敷設する工程と、
前記壁面の近傍において１枚分の床タイルを敷設できない床面の残部領域の形状に適合するように、床タイルを切断する工程と、
切断によって得られた床タイル片を前記残部領域に嵌め入れる工程と、を有し、
前記切断工程が、前記残部領域に対応する壁面部に対して略直交する方向に存する前記敷設済みの床タイルの上に、切断対象の床タイルを重ね置き、前記切断対象の床タイル上に下記切断用定規を置き、前記切断用定規の一辺を前記残部領域に対応する壁面部に当て、且つ前記切断用定規の対辺に沿って前記切断対象の床タイルをカッターで切断することを特徴とする床タイルの施工方法。
前記切断用定規は、平面視長方形の４辺に相当する外形を有し、その外形の一辺の長さはＡ×３１／２×Ｎ１で、且つその他辺の長さはＡ×３×Ｎ１であり、前記Ａは正六角形の床タイルの一辺の長さを表し、前記Ｎ１は１以上の整数を表す。
【請求項２】
平面視菱形の床タイルを施工場所の床面に敷設する床タイルの施工方法であって、
前記施工場所の床面に、基準となる１枚目の床タイルを敷設する初期位置決め工程と、
前記１枚目の床タイルの端辺に２枚目の床タイルの端辺を突き合わせて２枚目の床タイルを敷設し、同様にして３枚目以降の床タイルを施工場所の壁面側に向かって順次敷設する工程と、
前記壁面の近傍において１枚分の床タイルを敷設できない床面の残部領域の形状に適合するように、床タイルを切断する工程と、
切断によって得られた床タイル片を前記残部領域に嵌め入れる工程と、を有し、
前記切断工程が、前記残部領域に対応する壁面部に対して略直交する方向に存する前記敷設済みの床タイルの上に、切断対象の床タイルを重ね置き、前記切断対象の床タイル上に下記切断用定規を置き、前記切断用定規の一辺を前記残部領域に対応する壁面部に当て、且つ前記切断用定規の対辺に沿って前記切断対象の床タイルをカッターで切断することを特徴とする床タイルの施工方法。
前記切断用定規は、平面視長方形の４辺に相当する外形を有し、その外形の一辺の長さはＮ２×Ｂで、且つその他辺の長さはＮ３×Ｃ／２であり、前記Ｂは菱形の床タイルの短い方の対角線の長さを表し、前記Ｃは菱形の床タイルの長い方の対角線の長さを表し、前記Ｎ２及びＮ３は、それぞれ独立して１以上の整数を表す。
【請求項３】
前記切断対象の床タイルの全ての辺が前記敷設済みの床タイルの全ての辺に一致するように、前記切断対象の床タイルを前記敷設済みの床タイルの上に置く、請求項１または２に記載の床タイルの施工方法。
【発明の詳細な説明】
【技術分野】
【０００１】
本発明は、正六角形又は菱形の床タイルを施工する方法に関する。
【背景技術】
【０００２】
従来、床タイルの形状は、一般に、平面視正方形である。以下、本明細書において、平面視正方形の床タイルを「正方形床タイル」と略称する場合がある。
複数の正方形床タイルを、オフィスや商業施設などの室内の施工場所に敷設する施工方法として、下記のような２つの方法が行われている。
第１の施工方法は、施工場所の１つの隅部（施工場所の２つの壁面が略直交状に交わっている部分）に、正方形床タイルの２辺をそれぞれ当てて１枚目の正方形床タイルを敷設し、この１枚目の正方形床タイルを基準にして、１枚目の正方形床タイルの端辺に２枚目以降の正方形床タイルを突き合わせ、以後、同様にして３枚目以降の正方形床タイルを前記２つの壁面に対向する２つの壁面側へと並べていく。これを続けていくと、前記２つの壁面に対向する２つの壁面の近傍において、１枚分の正方形床タイルを敷設できない大きさの残部領域（床面の一部分）が生じる。この残部領域には正方形床タイルをそのまま敷設できないので、この残部領域の形状に適合するように正方形床タイルを切断しなければならない。特に、室内へ床タイルを敷設する場合には、壁面近辺の隙間が目立つと美観を損ねるので、可能な限り隙間が生じないように、床タイルを切断し敷設することが望まれる。
【０００３】
この切断時には、前記残部領域に対応する壁面部に対して略直交する方向に存する敷設済みの正方形床タイルの上に、切断対象の正方形床タイルの全ての辺が一致するように重ね置き、前記切断対象の正方形床タイル上に更に別途の正方形床タイルを置き、この別途の正方形床タイルの一辺を前記残部領域に対応する壁面部に当て、且つ別途の正方形床タイルの対辺に沿ってカッターを動かして前記切断対象の正方形床タイルを切断する。そして、切断によって得られた床タイル片を残部領域にスライド移動させ、これを残部領域に嵌め合わせることにより、床タイルの施工が完了する。このように施工することにより、残部領域の大きさに床タイル片の形状を合わせることができ、壁面近辺の隙間を最小にすることができ、床面の美観を高めることができる。
【０００４】
上記施工方法では、施工場所の一方の壁面に沿って正方形床タイルが綺麗に並ぶが、この壁面と対向する壁面には正方形でない床タイル片が並ぶので、施工完了後の床タイルが対称的でなく、床面の見栄えが悪くなる。
対称的に床タイルを敷設するため、第２の施工方法として、まず、施工場所の床面の縦及び横の長さを測り、施工完了後の床タイルが対向する壁面において略対称となるように、施工場所の床面中央部に縦方向及び横方向に延びる２つの基準線を十字状に引く。そして、その十字状の基準線に正方形床タイルの２辺をそれぞれ当てて１枚目の正方形床タイルを床面中央部に敷設し、以後、２枚目以降の正方形床タイルを壁面側に並べていくと、上記第１の施工方法と同様に、４つの壁面の近傍において１枚分の正方形床タイルを敷設できない残部領域がそれぞれ生じる。この残部領域に床タイル片を嵌め合わせるための手順は、上記第１の施工方法と同様である。
【０００５】
ところで、一般的な床タイルの形状は、上記のとおり平面視正方形であるが、例えば、特許文献１に記載されているように、主として公園やコミュニティー広場等において使用される、平面視正六角形のコンクリート製のタイルが知られている。このような平面視正六角形のタイルを、オフィス、商業施設などの室内の施工場所に敷設することが考えられる。
公園やコミュニティー広場等の室外に平面視正六角形のコンクリート製のタイルを敷設する場合は、主に、広めに敷設した後に割り砕いて端部を揃えるか、端面はそのままにして敷設する方法が採られている。しかしながら、室内に敷設する場合は、壁面より広めに敷設することができず、端面をそのままに敷設すると美観を損ねるので、このような方法を採用でき難い。また、上述のように、室内に床タイルを敷設する場合は、壁面近辺の隙間が目立つと美観を損ねるので、可能な限り隙間が生じないように敷設することが望まれる。
加えて、平面視正六角形の床タイル（以下、本明細書において、平面視正六角形の床タイルを「正六角形床タイル」と略称する場合がある）は、その一辺（端辺）の長さが対角線よりも短いので、上記第１の施工方法の床タイルの切断時のように、切断対称の正六角形床タイルの上に、更に別途の正六角形床タイルを置き、この別途の正六角形床タイルの一辺を壁面部に当て且つ別途の正六角形床タイルの対辺に沿ってカッターを動かしても、カッターによる切り目を切断対象の正方形床タイルの面内の一部分にしか形成できない。
【０００６】
このため、正六角形床タイルについては、別途の正六角形床タイルを利用して切断対称の正六角形床タイルを切断するという、上記従来の正方形床タイルに用いられている方法を流用することができない。
それ故、正六角形床タイルを敷設する場合、残部領域の形状に適合するように正六角形床タイルを簡単に切断できるような施工方法が求められる。
なお、この点は、正六角形床タイルのみならず、平面視菱形の床タイルなどにおいても共通している。以下、本明細書において、平面視菱形の床タイルを「菱形床タイル」と略称する場合がある。
【先行技術文献】
【特許文献】
【０００７】
【特許文献１】特開平６−３０６８０８号公報
【発明の概要】
【発明が解決しようとする課題】
【０００８】
本発明の目的は、正六角形床タイル又は菱形床タイルを簡単に施工場所に敷設できる床タイルの施工方法を提供することである。
【課題を解決するための手段】
【０００９】
本発明の第１の床タイルの施工方法は、平面視正六角形の床タイルを施工場所に敷設する際に適用され、前記施工場所の床面に、基準となる１枚目の床タイルを敷設する初期位置決め工程と、前記１枚目の床タイルの端辺に２枚目の床タイルの端辺を突き合わせて２枚目の床タイルを敷設し、同様にして３枚目以降の床タイルを施工場所の壁面側に向かって順次敷設する工程と、前記壁面の近傍において１枚分の床タイルを敷設できない床面の残部領域の形状に適合するように、床タイルを切断する工程と、切断によって得られた床タイル片を前記残部領域に嵌め入れる工程と、を有し、前記切断工程が、前記残部領域に対応する壁面部に対して略直交する方向に存する前記敷設済みの床タイルの上に、切断対象の床タイルを重ね置き、前記切断対象の床タイル上に下記切断用定規を置き、前記切断用定規の一辺を前記残部領域に対応する壁面部に当て且つ前記切断用定規の対辺に沿って前記切断対象の床タイルをカッターで切断することを特徴とする床タイルの施工方法。
前記切断用定規は、平面視長方形の４辺に相当する外形を有し、その外形の一辺の長さはＡ×３１／２×Ｎ１で且つその他辺の長さはＡ×３×Ｎ１であり、前記Ａは正六角形の床タイルの一辺の長さを表し、前記Ｎ１は１以上の整数を表す。
【００１０】
本発明の第２の床タイルの施工方法は、平面視菱形の床タイルを施工場所に敷設する際に適用され、前記施工場所の床面に、基準となる１枚目の床タイルを敷設する初期位置決め工程と、前記１枚目の床タイルの端辺に２枚目の床タイルの端辺を突き合わせて２枚目の床タイルを敷設し、同様にして３枚目以降の床タイルを施工場所の壁面側に向かって順次敷設する工程と、前記壁面の近傍において１枚分の床タイルを敷設できない床面の残部領域の形状に適合するように、床タイルを切断する工程と、切断によって得られた床タイル片を前記残部領域に嵌め入れる工程と、を有し、前記切断工程が、前記残部領域に対応する壁面部に対して略直交する方向に存する前記敷設済みの床タイルの上に、切断対象の床タイルを重ね置き、前記切断対象の床タイル上に下記切断用定規を置き、前記切断用定規の一辺を前記残部領域に対応する壁面部に当て、且つ前記切断用定規の対辺に沿って前記切断対象の床タイルをカッターで切断することを特徴とする床タイルの施工方法。
前記切断用定規は、平面視長方形の４辺に相当する外形を有し、その外形の一辺の長さはＮ２×Ｂで且つその他辺の長さはＮ３×Ｃ／２であり、前記Ｂは菱形の床タイルの短い方の対角線の長さを表し、前記Ｃは菱形の床タイルの長い方の対角線の長さを表し、前記Ｎ２及びＮ３は、それぞれ独立して１以上の整数を表す。
【００１１】
好ましい上記床タイルの施工方法は、前記切断対象の床タイルの全ての辺が前記敷設済みの床タイルの全ての辺に一致するように、前記切断対象の床タイルを前記敷設済みの床タイルの上に置くようにする。
【発明の効果】
【００１２】
本発明によれば、特定の切断用定規を用いて正六角形床タイル又は菱形床タイルを切断することにより、１枚分の床タイルを敷設できない床面の残部領域の形状に適合する床タイル片を簡単に得ることができる。
従って、本発明の床タイルの施工方法を行えば、正六角形床タイル又は菱形床タイルを簡単且つ短時間で施工場所の床面に敷設でき、施工完了後の床面の外観も美麗である。
【図面の簡単な説明】
【００１３】
【図１】施工場所の床面に正六角形床タイルを敷き詰めた状態（施工完了後の床面）の平面図。
【図２】床面中央部に１枚目の正六角形床タイルを敷設した状態の平面図。なお、床面に敷設済みの正六角形床タイルを、便宜上、薄墨塗りで表している（図３、図４及び図７も同様）。
【図３】床面中央部に４枚の正六角形床タイルを敷設した状態の平面図。
【図４】床面の１つの区画領域全体（但し、残部領域を除く）に複数の正六角形床タイルを敷設した状態の平面図。
【図５】（ａ）は、第１切断用定規の平面図、（ｂ）は、同側面図。
【図６】（ａ）は、他の実施形態の第１切断用定規の平面図、（ｂ）は、更に他の実施形態の第１切断用定規の斜視図。
【図７】切断用定規を用いて正六角形床タイルを切断する手順を示す平面図。なお、切断対象の正六角形床タイルを、便宜上、網掛けで表している。
【図８】（ａ）は、第２切断用定規の平面図、（ｂ）は、同側面図。
【図９】（ａ）は、第３切断用定規の平面図、（ｂ）は、同側面図。
【図１０】菱形床タイルの第１の敷設パターンに従って、床面の１つの区画領域全体（但し、残部領域を除く）に複数の菱形床タイルを敷設した状態の平面図。なお、床面に敷設済みの菱形床タイルを、便宜上、薄墨塗りで表している（図１１乃至図１８も同様）。
【図１１】菱形床タイルの第１の敷設パターンにおいて、菱形床タイルを切断する手順を示す平面図。なお、切断対象の菱形床タイルを、便宜上、網掛けで表している（図１３、図１４、図１６及び図１８も同様）。
【図１２】菱形床タイルの第２の敷設パターンに従って、床面の１つの区画領域全体（但し、残部領域を除く）に複数の菱形床タイルを敷設した状態の平面図。
【図１３】菱形床タイルの第２の敷設パターンにおいて、菱形床タイルを切断する手順を示す平面図。
【図１４】同第２の敷設パターンにおいて、菱形床タイルを切断する手順の変形例を示す平面図。
【図１５】菱形床タイルの第３の敷設パターンに従って、床面の１つの区画領域全体（但し、残部領域を除く）に複数の菱形床タイルを敷設した状態の平面図。
【図１６】菱形床タイルの第３の敷設パターンにおいて、菱形床タイルを切断する手順を示す平面図。
【図１７】菱形床タイルの第４の敷設パターンに従って、床面の１つの区画領域全体（但し、残部領域を除く）に複数の菱形床タイルを敷設した状態の平面図。
【図１８】菱形床タイルの第４の敷設パターンにおいて、菱形床タイルを切断する手順を示す平面図。
【発明を実施するための形態】
【００１４】
［床タイルの概要］
本発明の施工方法において用いられる床タイルは、（正方形ではなく）平面視正六角形又は菱形である。なお、平面視形状は、床タイルを平坦面に置き、その床タイルの表面の法線方向から床タイルを見たときの外形の形状を意味する。
本欄は、いずれの平面視形状の床タイルにも適用される事項について説明している。それ故、本欄においては、本発明の施工方法に用いられる平面視正六角形などの床タイルを、総称して床タイルと記している。
【００１５】
本発明において、床タイルは、床タイルの切断に使用されているカッターで切断可能なものである。
前記切断可能とは、床タイルをカッターで完全で分断すること、及び、床タイルにカッターで切り目を形成した後、その床タイルを湾曲させることにより、前記切り目に従って床タイルを分断できることを意味する。
【００１６】
上記カッターは、鋭利な刃部を有する工具である。具体的には、カッターは、例えば、作業者がカッターを手で持ち且つその刃部を床タイルの表面に当てて動かすことにより、床タイルを完全に切断できる又は床タイルの表面に断面略Ｖ字状の切り目を形成できる工具である。前記カッターとしては、例えば、オルファ株式会社製のプラスチックカッターやロータリーカッターなどが挙げられる。もちろん、本発明の施工方法で使用されるカッターは、これに限定されるわけではない。
【００１７】
床タイルの材質や層構成などは、特に限定されない。
床タイルとしては、例えば、塩化ビニル樹脂やポリオレフィンなどの合成樹脂からなる樹脂床タイル、ゴム材よりなるゴム床タイル、リノリウムからなるリノリウム床タイルなどが挙げられる。必要に応じて、これらの床タイルは、その表面に繊維又は短いパイルが植設された繊維層、その表面にエンボス加工が施された凹凸層、意匠装飾層、アクリル樹脂コーティング剤などからなるオーバーコート層、ゴムなどからなるバッキング層、寸法安定性のための繊維強化層などを有していてもよい。
【００１８】
例えば、床タイルの材質や層構成等としては、東リ株式会社製のビニル床タイル（商品名「マチコＶ」、「リフライプ」、「ＭＳプレーン」など）、同社製のラバータイル（商品名「プラート」など）、同社製の帆布積層ビニル床シート（商品名「フロアリューム」、「ＳＦフロア」、「ＣＦシート」など）、同社製の多目的ビニル床タイル（商品名「シガハード」など）などで用いられている材質や層構成等が挙げられる。
【００１９】
床タイルの厚みは、床タイルをカッターで切断可能である限り特に限定されない。比較的軟らかい床タイルは、比較的厚くてもカッターで切断できる。一般的には、床タイルの厚みは、１ｍｍ〜１０ｍｍ程度である。
【００２０】
［正六角形床タイルの施工方法］
本発明の正六角形床タイルの施工方法は、平面視正六角形の床タイルを敷設する際に適用される。
正六角形とは、６つの辺の長さが全て等しく、且つ６つの内角が１２０度の六角形である。
【００２１】
正六角形床タイルの大きさは、特に限定されず、適宜設計できる。もっとも、正六角形床タイルの一辺の長さが余りに短い（すなわち、正六角形床タイルの面積が小さい）と、１つの施工場所に数多くの正六角形床タイルを敷設しなければならず、その施工が煩雑になり、一方、正六角形床タイルの一辺の長さが余りに長い（すなわち、正六角形床タイルの面積が大きい）と、相対的に重量が増し、又、運搬途中で破断するおそれもあるので、取扱い性が悪くなる。
かかる点から、正六角形床タイルの１つの辺の長さは、８０ｍｍ〜４００ｍｍであり、好ましくは１００ｍｍ〜３００ｍｍである。
正六角形床タイルは、下記の工程に従って施工場所の床面に施工できる。
【００２２】
＜初期位置決め工程＞
まず、施工場所の床面に、基準となる１枚目の正六角形床タイルを敷設する。
基準となる１枚目の正六角形床タイルは、その一辺を施工場所の１つの壁面に当てて敷設してもよい。この場合、複数の正六角形床タイルは、施工場所の１つの壁面から他の壁面側に順次敷設されていくが、この方法では、施工完了後の正六角形床タイルが対称的でなくなる。
よって、施工完了後に正六角形床タイルが床面に略対称的に敷設された状態にするため、１枚目の正六角形床タイルは、施工場所の床面中央部に敷設することが好ましい。
【００２３】
図１は、略対称的に正六角形床タイル８が敷設された施工完成後の平面図である。尚、図１の例では、正六角形床タイル８の一辺が縦方向（図面上では、上下方向）と略平行となり、且つ正六角形床タイル８の１つの頂角が横方向（図面上では、左右方向）に揃うように、各正六角形床タイル８を敷設した例である。なお、正六角形床タイル８の一辺が横方向と略平行となり、且つ正六角形床タイル８の１つの頂角が縦方向に揃うように、各正六角形床タイル８を敷設しても同様である（施工場所の床面の縦横の見方の相違に過ぎない）。
このように一対の対向する壁面Ｗ１〜Ｗ４に沿った床タイルが略対称的になるように正六角形床タイル８を敷設することが好ましい。
【００２４】
このように施工すべく施工場所の床面中央部に１枚目の正六角形床タイル８を敷設するが、１枚目の正六角形床タイルの位置決めのために、予め施工場所の床面中央部に縦方向及び横方向の基準線７１，７２を引くことが好ましい。なお、全ての図面において、基準線は、便宜上、一点鎖線で表している。
この２つの基準線７１，７２を引くことによって、床面Ｆが基準線７１，７２を介して４つの領域に区画される。そのうちの１つの区画領域の床面Ｆ上に接着剤を塗布する。なお、接着剤は、前記１つの区画領域に一時に塗布してもよいし、或いは、１枚又は複数枚の正六角形床タイル８を敷設する範囲だけに接着剤を塗布してもよい。正六角形床タイル８を敷設する範囲だけに接着剤を塗布する場合、接着剤を適宜塗布した後に、接着剤塗布部分に正六角形床タイル８を敷設し、この動作を繰り返し行う。
【００２５】
また、接着剤を塗布する際、後述するように、壁面の近傍において１枚分の正六角形床タイル８を敷設できない領域や、基準線７１，７２と敷設済みの正六角形床タイル８の間に１枚分の正六角形床タイル８を敷設できない領域が生じるので、これらの領域を除いて、接着剤を塗布することが好ましい。これらの領域を除いて接着剤を塗布する場合、接着剤の塗布範囲を確定するため、まず接着剤を塗布していない床面Ｆに床タイルを仮敷きし、その仮敷きした床タイルに沿って床面Ｆに目印線を引き、仮敷きした床タイルを外した後、その目印線の内側の範囲に接着剤を塗布するのがよい。
【００２６】
次に、図２に示すように、１枚目の正六角形床タイル８１の一辺を縦方向の基準線７１に一致させ、且つその頂点を横方向の基準線７２に載るように、１枚目の正六角形床タイル８を前記区画領域に敷設する。
【００２７】
＜２枚目以降の床タイルの敷設工程＞
そして、図３に示すように、前記１枚目の正六角形床タイル８１の端辺に２枚目の正六角形床タイル８２の端辺を突き合わせ、２枚目の正六角形床タイル８２を敷設する。
同様にして３枚目の正六角形床タイル８３を２枚目の正六角形床タイル８２の端面に突き合わせて敷設する。さらに、４枚目の正六角形床タイル８４を、１枚目の正六角形床タイル８１の端辺及び２枚目の正六角形床タイル８２の端辺に同時に突き合わせて敷設する。なお、２枚目乃至４枚目の正六角形床タイル８２〜８４を置く順序は、前記例示に限定されず、適宜変更できる。
以降、恰もジグソーパズルのピースを埋めていくように、複数の正六角形床タイル８を、縦方向の壁面Ｗ１（平面視で縦方向に延びている壁面）及び横方向の壁面Ｗ２（平面視で横方向に延びている壁面）側に向かって順次敷設していく。
【００２８】
正六角形床タイル８では、壁面Ｗ１，Ｗ２の近傍において、床面Ｆの一部分に、１枚の正六角形床タイル８をそのまま敷設できない領域が生じる（本明細書において、この領域を残部領域という）。
例えば、図４に示すように、縦方向の壁面Ｗ１と敷設済みの正六角形床タイル８の端辺との間及び横方向の壁面Ｗ２と敷設済みの正六角形床タイル８の端辺との間に、正六角形でない残部領域が残っている。
【００２９】
＜切断工程＞
上記残部領域に床タイルを敷設するため、この残部領域の平面視形状に適合するように、正六角形床タイル８を切断する。
本発明では、正六角形床タイル８を切断するために、特徴的な切断用定規を用いる。以下、正六角形床タイル８の切断に使用される定規を「第１切断用定規」という。
この第１切断用定規１は、図５に示すように、平面視長方形の４辺に相当する外形を有し、その第１切断用定規１の外形の一辺１ａ（短辺）の長さは、「Ａ×３１／２×Ｎ１」で、且つその他辺１ｂ（長辺）の長さは、「Ａ×３×Ｎ１」である。
ただし、前記Ａは、正六角形の床タイルの一辺の長さを表し、前記Ｎ１は、１以上の整数を表す。好ましくは、前記Ｎ１は、１である。
なお、本明細書では、便宜上、一辺を短辺としているが、一辺を長辺としてもよい。つまり、本発明において、切断用定規の一辺とは、その定規の外形を形作る４つの辺のうちの任意の１つの辺を指し、切断用定規の他辺とは、その任意に選ばれた一辺に直交する方向の辺を指す。
【００３０】
例えば、一辺の長さが１３０ｍｍの正六角形床タイル８に対しては、一辺の長さが約２２５ｍｍ（１３０ｍｍ×√３）で、且つ他辺の長さが３９０ｍｍ（１３０ｍｍ×３）である長方形の外形を有する第１切断用定規が用いられる。
【００３１】
なお、図５では、第１切断用定規１は、長方形の板部材からなるが、これに限定されるものではない。本発明の切断用定規は、長方形状の４辺に相当する外形を有していればよいので、例えば、恰も額縁のような、細長い部材を長方形状に組み立てた枠部材から形成されていてもよい。
【００３２】
第１切断用定規１は、比較的剛性の高い材質から形成されていることが好ましい。第１切断用定規１が柔らか過ぎると、それに沿ってカッターを動かし難いからである。
第１切断用定規１の材質は、特に限定されないが、例えば、硬質合成樹脂；木；ステンレスや鉄などの金属；などが挙げられる。また、第１切断用定規１は、床タイルと同様の材質及び層構成であってもよい。
【００３３】
さらに、第１切断用定規１は、その表面から裏面側に接する物体を透視できるような、透光性を有することが好ましい。かかる透光性を有する第１切断用定規１であれば、切断対象の正六角形床タイル８５を第１切断用定規１の表面から視認でき、切断対象の正六角形床タイル８５の位置ズレなどを確認できる。
透光性を有する第１切断用定規１は、無色透明又は有色透明な合成樹脂の成形品などで形成できる。
【００３４】
さらに、第１切断用定規１には、図６（ａ）に示すように、正六角形床タイル８と同形同大の正六角形線７３が表示されていてもよい。なお、図６（ａ）に示す例では、２つの正六角形線７３，７３が一部重なって表示されているのに加えて、その対角線を示す補助線７４が破線で表示されている。このように正六角形線７３が表示されていれば、正六角形床タイル８の切断時に、壁面に対して、どのような向きに第１切断用定規１を当てれば良いかを容易に判別できる。透光性を有し且つ正六角形線７３が表示された第１切断用定規１を用いることによって、施工時に第１切断用定規１を誤った方向で使用することなく、速やかに使用することができ、施工作業の作業効率を高める効果が得られる。
また、前記正六角形線７３で囲われた範囲内を着色すれば、より視覚的に判別し易くなる。例えば、図６に示すように、２つの正六角形線７３，７３が一部重なって表示されている場合には、何れか一方の正六角形線７３で囲われた範囲内を着色すれば、正六角形の形状が明瞭となる判別し易くなる。なお、前記正六角形線７３の範囲内以外の部分が着色されている場合には、正六角形線７３の範囲内とそれ以外の部分を異なる色彩にて着色することによって、同様の視覚効果を得ることができる。
【００３５】
また、図６（ｂ）に示すように、第１切断用定規１に、取っ手部１８を設けてもよい。或いは、同図に示すように、第１切断用定規１に、手で把持するための、開口部１９を形成してもよい。このように第１切断用定規１に取っ手部１８及び／又は開口部１９を設けると、施工時に、第１切断用定規１を滑らせたり、持ち上げたりすることが、容易にでき、取扱い性に優れるので好ましい。
【００３６】
次に、上記第１切断用定規１を用いて、上記残部領域の平面視形状に適合するように正六角形床タイル８を切断する手順を説明する。
図７は、縦方向及び横方向の壁面Ｗ１，Ｗ２の近傍において存在する床面Ｆの残部領域の形状に適合するように、正六角形床タイル８を切断するときの手順を表している。
まず、縦方向の壁面Ｗ１の近傍において存在する床面の残部領域Ｒ１に、正六角形床タイル８を切断するときの手順を説明する。
はじめに、前記残部領域Ｒ１に対応する縦方向の壁面部（縦方向の壁面Ｗ１の一部分）に対して略直交する方向に存する敷設済みの正六角形床タイル８の上に、切断対象の正六角形床タイル８５を重ね置く。
なお、前記壁面部に対して略直交する方向には、複数の敷設済みの正六角形床タイル８が存在するが、前記壁面部に最も近い敷設済みの正六角形床タイル８を選択する。これは、縦方向の壁面Ｗ１の形状が基準線７１に対して傾斜しているような場合でも、最も近い敷設済みの正六角形床タイル８を選択することによって、切断対象の六角形床タイル８５を残部領域Ｒ１に近い形状に切断することができるためである。
図７において、薄墨塗りで表した敷設済みの正六角形床タイルの上に、網掛けで表した切断対象の正六角形床タイルが載せられている。
【００３７】
切断対象の正六角形床タイル８５は、その全ての辺が敷設済みの正六角形床タイル８の全ての辺に一致するように、重ね置くことが好ましい。
次に、この切断対象の正六角形床タイル８５の上に、上記第１切断用定規１を置く。この際、第１切断用定規１の他辺１ｂ（長辺）を前記残部領域Ｒ１に対応する縦方向の壁面部に当てる。つまり、正六角形床タイル８の一辺が縦方向の壁面Ｗ１と略平行に敷設される場合には、第１切断用定規１の長辺を縦方向の壁面部に当てる。
なお、図６（ａ）に示す正六角形線７３が表示されている第１切断用定規１であれば、前記正六角形線７３と敷設済みの正六角形床タイル８の向きを合わせると、第１切断用定規１の長辺が縦方向の壁面部に対向するので、どのような向きに第１切断用定規１を当てれば良いかを容易に判別できる。
【００３８】
そして、前記壁面部に当てた他辺１ｂの対辺（壁面部に当てた長辺に対向する他方の長辺）に沿ってカッターを動かし、切断対象の正六角形床タイル８５を切断し、床タイル片を得る。
なお、切断対象の正六角形床タイル８５をカッターで完全に切断できなかった場合には、それを湾曲させることによりカッターによる切り目に従って正六角形床タイル８は分断される。
【００３９】
また、横方向の壁面Ｗ２の近傍において存在する床面の残部領域Ｒ２の形状に適合するように、正六角形床タイル８を切断する場合は、次の通りである。
図７に示すように、残部領域Ｒ２に対応する横方向の壁面部（横方向の壁面Ｗ２の一部分）に対して略直交する方向に存する敷設済みの正六角形床タイル８の上に、切断対象の正六角形床タイル８５を重ね置く。
なお、前記壁面部に対して略直交する方向には、複数の敷設済みの正六角形床タイル８が存在するが、前記壁面部に最も近い敷設済みの正六角形床タイル８を選択する。これは、上記縦方向の壁面Ｗ１における施工と同様に、横方向の壁面Ｗ２の形状が基準線７２に対して傾斜しているような場合でも、最も近い敷設済みの正六角形床タイル８を選択することによって、切断対象の六角形床タイル８５を残部領域Ｒ２に近い形状に切断することができるためである。
【００４０】
切断対象の正六角形床タイル８５は、その全ての辺が敷設済みの正六角形床タイル８の全ての辺に一致するように重ね置くことが好ましい。
この切断対象の正六角形床タイル８５の上に、上記第１切断用定規１を置く。この際、第１切断用定規１の一辺１ａ（短辺）を前記残部領域Ｒ２に対応する横方向の壁面部に当てる。つまり、正六角形床タイル８の一辺が縦方向の壁面Ｗ１と略平行に敷設される場合には、第１切断用定規１の短辺を横方向の壁面部に当てる。
そして、前記壁面部に当てた一辺１ａの対辺（壁面部に当てた短辺に対向する他方の短辺）に沿ってカッターを動かし、切断対象の正六角形床タイル８５を切断し、床タイル片を得る。
【００４１】
＜嵌め入れ工程＞
上記切断工程によって得られた、各残部領域の形状に合致した形状の床タイル片を、前記残部領域Ｒ１，Ｒ２に嵌め入れる。図７の矢印は、床タイル片を残部領域に入れることを表す。
なお、残部領域Ｒ１，Ｒ２に接着剤が塗布されていない場合には、接着剤を塗布した後に、床タイル片を嵌め入れる。また、施工者の判断によって、切断工程を複数の残部領域に対してまとめて行った後に、嵌め入れ工程をまとめて行っても良いし、一つ一つの残部領域について切断工程と嵌め入れ工程をその都度繰り返し行っても良い。
【００４２】
事後、上記切断工程及び嵌め入れ工程を同様にして繰り返すことにより、１つの区画領域の床面上に床タイルを敷き詰めることができる。さらに、他の区画領域についても、上記と同様にして正六角形床タイル８を敷設することにより、施工場所の床面全体に床タイルを敷設できる。
上記寸法の第１切断用定規を用いれば、この定規の１つの辺を壁面部に当て且つその対辺にて正六角形床タイルを切断すれば、残部領域の形状に適合する床タイル片を得ることができる。よって、本発明の第１の床タイルの施工方法によれば、残部領域に嵌め入れる床タイル片を簡単に得ることができ、正六角形床タイルを床面に容易に、且つ間違うことなく施工できる。さらに、施工時に床タイルの切断を正確に行うことができるので、切断ミスによる廃棄物を最小限とすることができ、経済的にも優れ、且つ環境にも優しいという効果を奏する。
【００４３】
［菱形床タイルの施工方法］
次に、菱形床タイルの施工方法について説明する。ただし、菱形床タイルの施工方法の説明において、上記正六角形床タイルの施工方法と同様な点については、その説明を省略する場合がある。
【００４４】
本発明の菱形床タイルの施工方法は、平面視菱形の床タイルを敷設する際に適用される。
菱形とは、２つの対角線が直交し、且つその２つの対角線の長さが異なる平行四辺形である。使用される菱形床タイルは、対向する２つの内角が６０度（従って、残る２つの内角は１２０度）であることが好ましい。
菱形床タイルの大きさは、特に限定されず、適宜設計できる。もっとも、菱形床タイルの一辺の長さが余りに短いと、１つの施工場所に数多くの菱形床タイルを敷設しなければならず、その施工が煩雑になり、一方、菱形床タイルの一辺の長さが余りに長いと、相対的に重量が増し、又、運搬途中で破断するおそれもあるので、取扱い性が悪くなる。
かかる点から、菱形床タイルの１つの辺の長さは、８０ｍｍ〜４００ｍｍであり、好ましくは、１００ｍｍ〜３００ｍｍである。
【００４５】
菱形床タイルの施工方法においては、菱形床タイルを切断するために、特徴的な切断用定規を用いる。
この切断用定規２，３は、図８及び図９に示すように、平面視長方形の４辺に相当する外形を有し、その切断用定規の外形の一辺の長さは、「Ｎ２×Ｂ」で、且つその他辺の長さは、「Ｎ３×Ｃ／２」である。
ただし、前記Ｂは、施工対象の菱形床タイルの短い方の対角線の長さを表し、前記Ｃは、菱形床タイルの長い方の対角線の長さを表し、前記Ｎ２及びＮ３は、それぞれ独立して１以上の整数を表す。好ましくは、前記Ｎ２は、１であり、前記Ｎ３は、１又は２である。
【００４６】
菱形床タイルの施工方法においては、菱形床タイルの敷設パターンが複数あるため、その敷設パターンに応じて、複数の切断用定規が選択して使用される。
複数の切断用定規は、上記のように一辺の長さがＮ２×Ｂで、且つ他辺の長さがＮ３×Ｃ／２である関係を満たすものの中から適宜選択されるが、好ましくは、一辺の長さがＢで、且つ他辺の長さがＣ／２の切断用定規と、一辺の長さがＢで、且つ他辺の長さがＣの切断用定規と、が用いられる。
以下、この好ましい２種類の切断用定規のうち、前者を「第２切断用定規」、後者を「第３切断用定規」という。
【００４７】
図８は、第２切断用定規２を示し、その一辺２ａの長さはＢで、且つその他辺２ｂの長さはＣ／２である（前記Ｎ２及びＮ３が１である切断用定規）。
図９は、第３切断用定規３を示し、その一辺の長さ３ａはＢで、且つその他辺３ｂの長さはＣである（前記Ｎ２が１で、且つＮ３が２である切断用定規）。
【００４８】
例えば、一辺の長さが２６０ｍｍで、且つ対向する内角がそれぞれ６０度である菱形床タイルに対しては、一辺２ａの長さが２６０ｍｍ（２６０ｍｍ×１）で、且つ他辺２ｂの長さが２２５ｍｍ（２６０ｍｍ×√３×１／２）である長方形の外形を有する第２切断用定規２が用いられ、又は、一辺の長さ３ａが２６０ｍｍ（２６０ｍｍ×１）で、且つ他辺３ｂの長さが４５０ｍｍ（２６０ｍｍ×√３×１）である長方形の外形を有する第３切断用定規３が用いられる。
【００４９】
菱形床タイルに用いられる切断用定規２，３についても、正六角形床タイルに用いられる切断用定規１と同様に、枠部材などから形成されていてもよい。また、菱形床タイルに用いられる切断用定規２，３の材質も特に限定されない。菱形床タイルに用いられる切断用定規２，３も、透光性を有することが好ましい。
【００５０】
さらに、菱形床タイルに用いられる切断用定規にも、菱形床タイルと同形同大の菱形線（必要に応じて補助線）が表示されていてもよい。
図８（ａ）には、第２切断用定規２に実線で表示される菱形線７６及び破線で表示される補助線７７の一例が示され、図９（ａ）には、第３切断用定規３に実線で表示される菱形線７８及び破線で表示される補助線７９の一例が示されている。
なお、第２切断用定規２は、菱形床タイルの面積と同じであるが長方形状の板体からなるので、これに表示する菱形線７６は、菱形床タイルの相似形とされている。このように菱形線７６，７８が表示されている切断用定規２，３を用いれば、菱形床タイルの切断時に、どのような向きに切断用定規２，３を当てれば良いかを容易に判別できる。また、前記菱形線７６，７８及び／又は補助線７７，７９で囲われた範囲内を着色すれば、より視覚的に判別し易くなる。
【００５１】
また、菱形床タイルに用いられる切断用定規２，３についても、正六角形床タイルに用いられる切断用定規と同様に、取っ手部や開口部が形成されていてもよい。
【００５２】
次に、菱形床タイルの施工方法を説明するが、菱形床タイルはその形状から、各床タイルの向きを変えて床面に敷設できる。
以下、４つの敷設パターンを例示する。もっとも、本発明の菱形床タイルの施工方法は、この４つの敷設パターンに限定されるわけではない。
【００５３】
（第１の敷設パターン）
第１の敷設パターンは、全ての菱形床タイル９を、菱形床タイル９の各対角線が施工場所の壁面Ｗ１，Ｗ２と略平行となるように、敷設するものである。
以下、各工程に分けて説明する。
【００５４】
＜初期位置決め工程＞
図１０に示すように、施工場所の床面Ｆに、基準となる１枚目の菱形床タイル９１を敷設する。
上記正六角形床タイルの施工方法と同様に、複数の菱形床タイル９を、施工場所の１つの壁面Ｗ１から他の壁面側に順次敷設してもよい。
本例では、施工完了後に菱形床タイル９が床面に略対称的に敷設された状態にするため、図１０に示すように、床面Ｆ上に２つの基準線７１，７２を引き、１枚目の菱形床タイル９１の対向する頂点を縦方向の基準線７１，７２上に載せ、且つ他の対向する頂点を横方向の基準線７１，７２上に載せて、１枚目の菱形床タイル９を前記領域に敷設している。
【００５５】
＜２枚目以降の床タイルの敷設工程＞
そして、２枚目以降の菱形床タイル９を敷設済みの菱形床タイル９の端辺に突き合わせ、順次敷設する。
壁面の近傍において、床面の一部分に、１枚分の菱形床タイル９を敷設できない残部領域が生じる。
例えば、図１０では、１つの区画領域における２つの壁面Ｗ１，Ｗ２と敷設済みの菱形床タイル９の端辺との間に、菱形床タイル９をそのままでは嵌め入れることができない残部領域が残っている。
【００５６】
＜切断工程＞
上記残部領域に床タイルを敷設するため、この残部領域の平面視形状に適合するように、菱形床タイル９を切断する。
第１の敷設パターンにおいては、第３切断用定規３を用いる。
図１１は、縦方向及び横方向の壁面Ｗ１，Ｗ２の近傍において存在する床面Ｆの残部領域Ｒ３，Ｒ４の形状に適合するように、菱形床タイル９を切断する場合を表している。
まず、縦方向の壁面Ｗ１において存在する残部領域Ｒ３の形状に適合するように、菱形床タイル９を切断する方法を説明する。
はじめに、前記残部領域Ｒ３に対応する縦方向の壁面部に対して略直交する方向に存する敷設済みの菱形床タイル９の上に、切断対象の菱形床タイル９２を重ね置く。
なお、前記壁面部に対して略直交する方向には、複数の敷設済みの菱形床タイル９が存在するが、正六角形床タイルの施工と同様に、前記壁面部に最も近い敷設済みの菱形床タイル９を選択する。
【００５７】
切断対象の菱形床タイル９２は、その全ての辺が敷設済みの菱形床タイル９の全ての辺に一致するように重ね置くことが好ましい。
次に、この切断対象の菱形床タイル９２の上に、上記第３切断用定規３を置く。この際、第３切断用定規３の一辺３ａ（短辺）を前記残部領域Ｒ３に対応する縦方向の壁面部に当てる。そして、壁面部に当てた一辺３ａの対辺（壁面部に当てた短辺に対向する他方の短辺）に沿ってカッターを動かし、切断対象の菱形床タイル９２を切断し、床タイル片を得る。
なお、図９に示すような菱形線７８が表示されている第３切断用定規３であれば、前記菱形線７８と敷設済みの菱形床タイル９の向きを合わせると、第３切断用定規３の一辺３ａ（短辺）が縦方向の壁面Ｗ１に対向するので、どのような向きに第３切断用定規３を当てれば良いかを容易に判別でき、第３切断用定規３の当てる方向を間違えることを防ぐことができる。
【００５８】
また、横方向の壁面Ｗ２の近傍において存在する床面の残部領域の形状に適合するように、菱形床タイル９を切断する場合は、次の通りである。
図１１に示すように、１つの残部領域Ｒ４に対応する横方向の壁面部（横方向の壁面Ｗ２の一部分）に対して略直交する方向に存する敷設済みの菱形床タイル９の上に、切断対象の菱形床タイル９２を重ね置く。
この際、前記壁面部に最も近い敷設済みの菱形床タイル９を選択する。
【００５９】
切断対象の菱形床タイル９２は、その全ての辺が敷設済みの菱形床タイル９の全ての辺に一致するように重ね置くことが好ましい。
この切断対象の菱形床タイル９２の上に、上記第３切断用定規３を置く。この際、第３切断用定規３の他辺３ｂ（長辺）を前記残部領域Ｒ４に対応する横方向の壁面部に当てる。
そして、前記壁面部に当てた他辺３ｂの対辺（壁面部に当てた長辺に対向する他方の長辺）に沿ってカッターを動かし、切断対象の菱形床タイル９２を切断し、床タイル片を得る。
【００６０】
＜嵌め入れ工程＞
上記切断工程によって得られた、各残部領域の形状に合致した床タイル片を、正六角形床タイルの施工と同様にして、各残部領域に嵌め入れる。図１１の矢印は、床タイル片を残部領域に入れることを表す。
なお、残部領域に接着剤が塗布されていない場合には、接着剤を塗布した後に床タイル片を入れる。
【００６１】
事後、上記切断工程及び嵌め入れ工程を同様にして繰り返すことにより、１つの区画領域の床面上に床タイルを敷き詰めることができる。さらに、他の区画領域についても、上記と同様にして菱形床タイル９を敷設することにより、施工場所の床面全体に菱形床タイル９を第１の敷設パターンで敷設できる。
上記寸法の第３切断用定規を用いれば、この定規の１つの辺を壁面部に当て、且つその対辺にて菱形床タイルを切断すれば、残部領域の形状に適合する床タイル片を得ることができる。本発明の第２の床タイルの施工方法によれば、残部領域に嵌め入れる床タイル片を、菱形床タイルから簡単に切断できるので、菱形床タイルを容易に施工できる。
【００６２】
（第２の敷設パターン）
第２の敷設パターンは、全ての菱形床タイル９を、菱形床タイル９の一辺が施工場所の壁面と略平行で、且つ同じ向きに敷設するものである。
以下、各工程に分けて説明する。
【００６３】
＜初期位置決め工程＞
施工場所の床面に、基準となる１枚目の菱形床タイルを敷設する。
上記と同様に施工場所の床面Ｆに２つの基準線７１，７２を引き、図１２に示すように、１枚目の菱形床タイル９１の一辺を縦方向の基準線７１，７２に一致させ、且つ下方の頂点を横方向の基準線７１，７２上に載せて、１枚目の菱形床タイル９１を敷設する。
【００６４】
＜２枚目以降の床タイルの敷設工程＞
そして、２枚目以降の菱形床タイル９を敷設済みの菱形床タイル９の端辺に突き合わせ、順次敷設する。
すると、壁面の近傍において、床面の一部分に、１枚分の菱形床タイル９を敷設できない残部領域が生じる。
【００６５】
＜切断工程＞
上記残部領域に床タイルを敷設するため、菱形床タイル９を切断する。
第２の敷設パターンにおいては、第２切断用定規２を用いる。
図１３は、縦方向及び横方向の壁面Ｗ１，Ｗ２の近傍において存在する床面Ｆの残部領域の形状に適合するように、菱形床タイル９を切断する場合を表している。
まず、残部領域Ｒ５に対応する縦方向の壁面部に対して略直交する方向に存し、且つ前記壁面部に最も近い敷設済みの菱形床タイル９の上に、切断対象の菱形床タイル９３を重ね置く。
【００６６】
切断対象の菱形床タイル９３は、その全ての辺が敷設済みの菱形床タイル９の全ての辺に一致するように重ね置くことが好ましい。
次に、この切断対象の菱形床タイル９３の上に、上記第２切断用定規２を置く。この際、第２切断用定規２の一辺２ａ（長辺）を前記残部領域Ｒ５に対応する縦方向の壁面部に当てる。そして、壁面部に当てた一辺２ａの対辺（壁面部に当てた長辺に対向する他方の長辺）に沿ってカッターを動かし、切断対象の菱形床タイル９３を切断し、床タイル片を得る。
【００６７】
また、切断対象の菱形床タイル９３を、縦方向の壁面部に最も近い敷設済みの菱形床タイル９の上に重ね置くことに代えて、図１４に示すように、縦方向の壁面部に最も近い２枚の敷設済みの菱形床タイル９４，９５の中央部上に、切断対象の菱形床タイル９３を重ね置いてもよい。すなわち、縦方向の壁面部に最も近い２枚の敷設済みの菱形床タイル９４，９５のうち、上方の敷設済みの菱形床タイル９４の一辺中央部に切断対象の菱形床タイル９３の上方の頂点が載り、且つ下方の敷設済みの菱形床タイル９５の一辺中央部に切断対象の菱形床タイル９３の下方の頂点が載るように、切断対象の菱形床タイル９３を重ね置いてもよい。
この場合でも、上記と同様に、第２切断用定規２の一辺２ａ（長辺）を前記残部領域Ｒ５に対応する縦方向の壁面部に当てることにより、切断対象の菱形床タイル９３を残部領域Ｒ５に適合する床タイル片に切断できる。この変形例に係る方法でも、残部領域の形状に特に適合しうる床タイル片を得ることができ、又、得られた床タイル片を横方向に平行移動させることにより、残部領域に嵌め入れることができる。
【００６８】
また、横方向の壁面Ｗ２の近傍において存在する床面の残部領域Ｒ６の形状に適合するように、菱形床タイル９を切断する場合は、次の通りである。
図１３に示すように、残部領域Ｒ６に対応する横方向の壁面部に対して略直交する方向に存する敷設済みの菱形床タイル９（横方向の壁面部に最も近い敷設済みの菱形床タイル９）の上に、切断対象の菱形床タイル９３を重ね置く。
【００６９】
切断対象の菱形床タイル９３は、その全ての辺が敷設済みの菱形床タイル９の全ての辺に一致するように重ね置くことが好ましい。
この切断対象の菱形床タイル９３の上に、上記第２切断用定規２を置き、第２切断用定規２の他辺２ｂ（短辺）を前記残部領域Ｒ６に対応する横方向の壁面部に当て、前記他辺２ｂの対辺（壁面部に当てた短辺に対向する他方の短辺）に沿ってカッターを動かし、切断対象の菱形床タイル９３を切断し、床タイル片を得る。
【００７０】
＜嵌め入れ工程＞
上記切断工程によって得られた、各残部領域の形状に合致した床タイル片を、上記と同様にして、各残部領域に嵌め入れる。図１３及び図１４の矢印は、床タイル片を残部領域に入れることを表す。
事後、上記切断工程及び嵌め入れ工程を同様にして繰り返すことにより、１つの区画領域の床面上に床タイルを敷き詰めることができる。さらに、他の区画領域についても、上記と同様にして菱形床タイルを敷設することにより、施工場所の床面全体に菱形床タイルを第２の敷設パターンで敷設できる。
【００７１】
（第３の敷設パターン）
第３の敷設パターンは、全ての菱形床タイル９の一辺が施工場所の壁面と略平行となり、且つ縦方向に並ぶ菱形床タイル９の奇数列と偶数列の菱形床タイル９の向きが線対称となるように敷設するものである。
以下、各工程に分けて説明する。
【００７２】
＜初期位置決め工程＞
施工場所の床面に、基準となる１枚目の菱形床タイル９を敷設する。
上記と同様に施工場所の床面Ｆに２つの基準線７１，７２を引き、図１５に示すように、１枚目の菱形床タイル９１の一辺を縦方向の基準線７１，７２に一致させ、且つその床タイル９１の下方の頂点を縦方向及び横方向の基準線７１，７２の交点上に載せて、１枚目の菱形床タイル９１を敷設する。
【００７３】
＜２枚目以降の床タイルの敷設工程＞
そして、２枚目以降の菱形床タイル９を１枚目の菱形床タイル９１の端辺に突き合わせ、前記１枚目の菱形床タイル９１に対して線対称となるように敷設する。以後同様にして、３枚目以降の菱形床タイル９を順次敷設する。
すると、壁面Ｗ１，Ｗ２の近傍において、床面Ｆの一部分に、１枚分の菱形床タイル９を敷設できない残部領域が生じる。
【００７４】
＜切断工程＞
上記残部領域に床タイルを敷設するため、菱形床タイル９を切断する。
第３の敷設パターンにおいては、第２切断用定規２及び第３切断用定規３を用いる。
図１６は、縦方向及び横方向の壁面Ｗ１，Ｗ２の近傍において存在する床面Ｆの残部領域の形状に適合するように、菱形床タイル９を切断する場合を表している。
例えば、縦方向の壁面Ｗ１において存在する残部領域に適合するように菱形床タイル９を切断する場合には、第２切断用定規２又は第３切断用定規３を用いる。
【００７５】
第２切断用定規２を用いる場合には、図１６に示すように、縦方向の壁面部に最も近い２枚の敷設済みの菱形床タイル９６，９７の中央部上に、切断対象の菱形床タイル９８を重ね置く。すなわち、縦方向の壁面部に最も近い２枚の敷設済みの菱形床タイル９６，９７のうち、上方の敷設済みの菱形床タイル９６の頂点（内角が鈍角である頂点）に切断対象の菱形床タイル９８の上方の頂点（内角が鋭角である頂点）が載り、且つ下方の敷設済みの菱形床タイル９７の頂点（内角が鈍角である頂点）に切断対象の菱形床タイル９８の下方の頂点（内角が鋭角である頂点）が載るように、切断対象の菱形床タイル９８を重ね置く。
次に、この切断対象の菱形床タイル９８の上に、上記第２切断用定規２を置き、第２切断用定規２の一辺２ａ（長辺）を前記残部領域Ｒ７に対応する縦方向の壁面部に当てる。そして、壁面部に当てた一辺２ａの対辺に沿ってカッターを動かし、切断対象の菱形床タイル９８を切断し、床タイル片を得る。
【００７６】
第３切断用定規３を用いる場合には、図１６に示すように、残部領域Ｒ８に対応する縦方向の壁面部に対して略直交する方向に存し、且つ前記壁面部から２番目の敷設済みの菱形床タイル９の上に、切断対象の菱形床タイル９８を重ね置く。この場合、切断対象の菱形床タイル９８は、その全ての辺が敷設済みの菱形床タイル９の全ての辺に一致するように重ね置くことが好ましい。
次に、この切断対象の菱形床タイル９８の上に、上記第３切断用定規３を置き、第３切断用定規３の一辺３ａ（短辺）を前記残部領域Ｒ８に対応する縦方向の壁面部に当て、壁面部に当てた一辺３ａ（短辺）の対辺に沿ってカッターを動かし、切断対象の菱形床タイル９８を切断し、床タイル片を得る。
【００７７】
また、横方向の壁面の近傍において存在する床面の残部領域の形状に適合するように、菱形床タイル９を切断する場合は、次の通りである。
図１６に示すように、残部領域Ｒ９に対応する横方向の壁面部に対して略直交する方向に存し、且つ前記壁面部に最も近い敷設済みの菱形床タイル９の上に、切断対象の菱形床タイル９８を重ね置く。この切断対象の菱形床タイル９８の上に、上記第２切断用定規２を置き、第２切断用定規２の他辺２ｂ（短辺）を前記残部領域Ｒ９に対応する横方向の壁面部に当て、前記他辺２ｂの対辺（壁面部に当てた短辺に対向する他方の短辺）に沿ってカッターを動かし、切断対象の菱形床タイル９８を切断し、床タイル片を得る。
【００７８】
＜嵌め入れ工程＞
上記切断工程によって得られた、各残部領域の形状に合致した床タイル片を、上記と同様にして、各残部領域に嵌め入れる。図１６の矢印は、床タイル片を残部領域に入れることを表す。
事後、上記切断工程及び嵌め入れ工程を同様にして繰り返すことにより、１つの区画領域の床面上に床タイルを敷き詰めることができる。さらに、他の区画領域についても、上記と同様にして菱形床タイルを敷設することにより、施工場所の床面全体に菱形床タイルを第３の敷設パターンで敷設できる。
【００７９】
（第４の敷設パターン）
第４の敷設パターンは、３枚の菱形床タイル９の２つの辺をそれぞれ突き合わせて六角形を形作るように、複数の菱形床タイル９を敷設するものである。
以下、各工程に分けて説明する。
【００８０】
＜初期位置決め工程＞
施工場所の床面に、基準となる１枚目の菱形床タイル９１を敷設する。
上記と同様に施工場所の床面Ｆに２つの基準線７１，７２を引き、図１７に示すように、１枚目の菱形床タイル９１の一辺を縦方向の基準線７１，７２に一致させ、且つ下方の頂点を横方向の基準線７１，７２の交点上に載せて、１枚目の菱形床タイル９１を敷設する。
【００８１】
＜２枚目以降の床タイルの敷設工程＞
そして、２枚目以降の菱形床タイル９を１枚目の菱形床タイル９１の端辺に突き合わせ、前記１枚目の菱形床タイル９１に対して線対称となるように敷設する。次に、３枚目の菱形床タイル９の２つの辺を前記１枚目及び２枚目の菱形床タイルの端辺にそれぞれ突き合わせて、３枚目の菱形床タイル９を敷設する。以降４枚目の菱形床タイル９を順次敷設する。
すると、壁面Ｗ１，Ｗ２の近傍において、床面Ｆの一部分に、１枚分の菱形床タイル９を敷設できない残部領域が生じる。
【００８２】
＜切断工程＞
上記残部領域に床タイルを敷設するため、この残部領域の平面視形状に適合するように、菱形床タイル９を切断する。
第４の敷設パターンにおける菱形床タイル９を切断する方法は、上記第１乃至第３の敷設パターンで例示した方法に準じて適宜用いればよい。
【００８３】
例えば、図１８の縦方向の壁面Ｗ１の近傍において存在する床面Ｆの残部領域Ｒ１０については、その残部領域Ｒ１０に対応する縦方向の壁面部に対して略直交する方向に存し、且つ前記壁面部から２番目の敷設済みの菱形床タイル９の上に、切断対象の菱形床タイル９９を重ね置く。この切断対象の菱形床タイル９９の上に、上記第３切断用定規３を置き、第３切断用定規３の一辺３ａ（短辺）を前記残部領域Ｒ１０に対応する縦方向の壁面部に当て、その一辺３ａの対辺に沿ってカッターを動かし、切断対象の菱形床タイル９９を切断し、残部領域Ｒ１０に適合する形状の床タイル片を得る。
前記残部領域Ｒ１０に適合する床タイル片の形成は、これ以外の方法でも行うことができる。すなわち、上記第３の敷設パターンに準じ、縦方向の壁面部に最も近い２枚の敷設済みの菱形床タイルの中央部上に、切断対象の菱形床タイル９９を重ね置き、第２切断用定規２を用いて菱形床タイル９９を切断することもできる。
【００８４】
図１８の縦方向の壁面Ｗ１の近傍において存在する床面の残部領域Ｒ１１については、上記第１の敷設パターンに準じ、その残部領域Ｒ１１に対応する縦方向の壁面部に対して略直交する方向に存する敷設済みの菱形床タイル９（壁面部に最も近い敷設済み菱形床タイル９）の上に、切断対象の菱形床タイル９９を重ね置き、第３切断用定規３を用いて、切断対象の菱形床タイル９９を切断することもできる。
【００８５】
また、図１８の横方向の壁面Ｗ２の近傍において存在する床面の残部領域Ｒ１２についても、上記第１の敷設パターンに準じに、その残部領域Ｒ１２に対応する横方向の壁面部に対して略直交する方向に存し、且つ前記壁面部に最も近い敷設済みの菱形床タイル９の上に、切断対象の菱形床タイル９９を重ね置き、第３切断用定規３を用いて、切断対象の菱形床タイル９９を切断できる。
【００８６】
さらに、図１８の横方向の壁面Ｗ２の近傍において存在する床面の残部領域Ｒ１３については、上記第３の敷設パターンに準じ、横方向の壁面Ｗ２に対して略直交する方向上に１辺を有する２枚の敷設済みの菱形床タイル９１１，９１２の中央部上に、切断対象の菱形床タイル９９を重ね置く。すなわち、横方向の壁面Ｗ２に対して略直交する方向と平行に１辺があり、且つ残部領域Ｒ１３に対応する壁面部に最も近い２枚の敷設済みの菱形床タイル９１１，９１２のうち、一方の敷設済みの菱形床タイル９１１の頂点（内角が鈍角である頂点）に切断対象の菱形床タイル９９の一方の頂点（内角が鋭角である頂点）が載り、且つ他方の敷設済みの菱形床タイル９１２の頂点（内角が鈍角である頂点）に切断対象の菱形床タイル９９の他方の頂点（内角が鋭角である頂点）が載るように、切断対象の菱形床タイル９９を重ね置く。そして、第３切断用定規３を前記切断対象の菱形床タイル９９の上に置き、その定規３の他辺３ｂを前記残部領域Ｒ１３に対応する壁面部に当てて切断対象の菱形床タイル９９を切断することができる。
【００８７】
＜嵌め入れ工程＞
上記切断工程によって得られた床タイル片を、前記残部領域に嵌め入れる。図１８の矢印は、床タイル片を残部領域に入れることを表す。
事後、上記切断工程及び嵌め入れ工程を同様にして繰り返すことにより、１つの区画領域の床面上に床タイルを敷き詰めることができる。さらに、他の区画領域についても、上記と同様にして菱形床タイルを敷設することにより、施工場所の床面全体に菱形床タイルを第４の敷設パターンで敷設できる。
【産業上の利用可能性】
【００８８】
本発明の床タイルの施工方法は、平面視正六角形及び平面視菱形の床タイルを施工場所に敷設する際に利用される。
【符号の説明】
【００８９】
１…第１切断用定規、１ａ…第１切断用定規の一辺、１ｂ…第１切断用定規の他辺、２…第２切断用定規、２ａ…第２切断用定規の一辺、２ｂ…第２切断用定規の他辺、３…第３切断用定規、３ａ…第３切断用定規の一辺、３ｂ…第３切断用定規の他辺、７１…縦方向の基準線、７２…横方向の基準線、８，８１〜８４…敷設済みの正六角形床タイル、８５…切断対象の正六角形床タイル、９，９４〜９７，９１１，９１２…敷設済みの菱形床タイル、９２，９３，９８，９９…切断対象の菱形床タイル、…正六角形床タイル、Ｒ１〜Ｒ１３…残部領域、Ｆ…施工場所の床面、Ｗ１…施工場所の縦方向の壁面、Ｗ２…施工場所の横方向の壁面
【図１】
0005433900.tif 000002
【図２】
0005433900.tif 000003
【図３】
0005433900.tif 000004
【図４】
0005433900.tif 000005
【図５】
0005433900.tif 000006
【図６】
0005433900.tif 000007
【図７】
0005433900.tif 000008
【図８】
0005433900.tif 000009
【図９】
0005433900.tif 000010
【図１０】
0005433900.tif 000011
【図１１】
0005433900.tif 000012
【図１２】
0005433900.tif 000013
【図１３】
0005433900.tif 000014
【図１４】
0005433900.tif 000015
【図１５】
0005433900.tif 000016
【図１６】
0005433900.tif 000017
【図１７】
0005433900.tif 000018
【図１８】
0005433900.tif 000019